(57)【特許請求の範囲】
【請求項１】
空積み施工に用いるコンクリートブロックであって、該ブロックは夫々厚板状の前面部と背面部と底面部とを有し、前記前面部と前記背面部とは左右に離間した仕切部によって連結されると共に、該ブロックの両側部は後側に向けて僅かな傾斜角を有し、前記前面部の上部には左右に離間された前記仕切部側に突出した上部前側突部が形成され、前記背面部の上部に沿って前記仕切部よりもやや上方に突出した上部後側縁部が形成され、前記底面部はその底部が前側に凸面と後側に凹面とを有する段差形状であって、前記凸面と前記凹面との境界にて左右に離間した底面突部が前記凸面と同一平面をなして前記凹面側に突出してなる構成を有することにより、
横方向に並べた下段をなす各ブロックに上段の各ブロックが跨るように千鳥状に積み重ねられた積層状態において、上段の各ブロックの下部前側縁部が下段に隣設された両ブロックの片方ずつの上部前側突部に係止されると同時に、上段の各ブロックの左右の底面突部が下段に隣設された両ブロックの上部後側縁部に係止されたことによって、積層された各ブロックが横方向に直線状または曲線状に配列されてなる隣設する各ブロックが前面側に隙間のない状態で配列されると共に、各下段ブロックに対する各上段ブロックの前後のずれが防止されることを特徴とするコンクリート空積みブロック。
【請求項２】
請求項１記載のコンクリート空積みブロックを支持する基礎盤であって、該基礎盤の両側部は後側に向けて僅かな傾斜角を有し、該基礎盤の上部の前側と後側に沿って突縁部が形成され、この前側突縁部の後側方向に傾斜辺を山状に形成した案内突部が少なくとも二箇所左右に離間して形成されていることにより、
直線状または曲線状に敷設された各基礎盤に各ブロックが跨るように千鳥状に積み重ねられた積層状態において、各ブロックの下部前側縁部が左右に隣接された両側基礎盤の各案内突部に係止されると共に、各ブロックの底面内の左右に設けられた案内突部が左右に隣接する両基礎盤の後側の各突縁部に係止されたことによって、直線状または曲線状に配列されてなる隣設する各基礎盤が前面側に隙間のない状態で配列され、各基礎盤に対する各ブロックの前後のずれが防止されることを特徴とするコンクリート空積みブロックの基礎盤。
【発明の詳細な説明】
【０００１】
【発明の属する技術分野】
本発明は、河川の護岸等に用いられるコンクリート製の空積みブロックとこれを支持する基礎盤に係り、例えば河川の蛇行によって直線状または曲線状のいずれに構築した場合でも、各ブロックの前後にずれの生じないようにしたコンクリート空積みブロックと基礎盤に関するものである。
【０００２】
【従来の技術】
河川の護岸等に用いる擁壁を構築する施工法としては、コンクリートブロックを積み重ねることによって高さを確保するようにしたブロック積み工法が知られている。この工法には、主として、積み重ねた各ブロックの中空部にコンクリートを充填することによって各ブロックを互いに固定するようにしたコンクリート充填工法と、各ブロックを互いに噛み合わせるだけで固定するようにした空積み工法とがある。
【０００３】
なかでも空積み工法は、これに用いられる空積みブロックの中空部に充填した土等に植物を根付かせたり、石等で空間を作ることにより魚を生息させることが可能であり、近年になって推奨されている環境保全型ブロックに好適するものである。
【０００４】
このようなコンクリートブロックの空積み工法は、複数段のブロックを積、み重ねる際に、岸側に傾きを有する勾配状に積み重ねることによって土圧に耐える構造にすると共に、上下の各列で互いに千鳥状に積み重ねることによって横方向の連結を保つようにしているが、積み重ねた基礎盤と各ブロック間に前後のずれが生じない構造が必要となる。
【０００５】
この前後のずれを防止するための構造は、概ね、基礎盤とブロックとの接合部及び各段のブロック同士の接合部を凹凸形状で噛み合わせることによって実現される。
【０００６】
ところで、蛇行する川岸等に空積み擁壁を構築する際、曲線状に敷設した基礎盤に各ブロックを前後に隙間のない状態で噛み合せると、同じ品物で直線部を施工した際には、噛み合わせの周りに遊び（隙間）が生じることとなる。
【０００７】
これは、図１５（ａ）に示すように、基礎盤３０の上部前後端に沿って凸部３１、３１が形成され、この基礎盤３０を曲線状に配列してその上の凸部３１、３１間の凹部にブロック（その底部を斜線で示す）３２を千鳥状に噛み合わせる場合、各ブロック３２、３２…が曲線方向を向くための余地が必要となるからである。
【０００８】
ところが、図１５（ｂ）に示すように、基礎盤３０とブロック３２或いは各段のブロック３２、３２…の噛み合わせの周部に遊び（隙間）３３を設け、基礎盤３０を直線状に配列して、その上に各ブロック３２、３２…を直線状に積み重ねると、各ブロック３２、３２…が遊び３３の分だけ前後へ移動するため、施工中や施工後において、各ブロック３２、３２…に前後のずれが生じ、法面に狂いが生じてしまう。
【０００９】
また、岸側に傾斜した状態で曲線部を施工する際、各ブロックを積み上げていくに従って曲率半径が変化するため、各ブロックに横方向のずれが生じるが、この横方向のずれに対処する施工が面倒なため、左右の各ブロック間の前方をすかしたり、左右の各ブロック間の隙間をそのままの状態にして構築したり、その隙間を目地コンクリートで詰めたりしていたのが現状である。このように、ブロック間の隙間、特に、ブロック間の前方に隙間が生じると、この隙間から岸側の土等やブロックに充填した土等が洩れ出る原因となる。
【００１０】
【発明が解決しようとする課題】
本発明は、上記の問題点を解消するために成されたもので、コンクリートブロックの空積み施工において、直線施工であっても、曲線施工であっても、横方向に隙間をつくることなく、前後にずれのない状態で噛み合わせることができるコンクリート空積みブロックと基礎盤を提供することを目的とする。
【００１１】
【課題を解決するための手段】
そのため、本発明の請求項１は、空積み施工に用いるコンクリートブロックであって、該ブロックは夫々厚板状の前面部と背面部と底面部とを有し、前記前面部と前記背面部とは左右に離間した仕切部によって連結されると共に、該ブロックの両側部は後側に向けて僅かな傾斜角を有し、前記前面部の上部には左右に離間された前記仕切部側に突出した上部前側突部が形成され、前記背面部の上部に沿って前記仕切部よりもやや上方に突出した上部後側縁部が形成され、前記底面部はその底部が前側に凸面と後側に凹面とを有する段差形状であって、前記凸面と前記凹面との境界にて左右に離間した底面突部が前記凸面と同一平面をなして前記凹面側に突出してなる構成を有することにより、
横方向に並べた下段をなす各ブロックに上段の各ブロックが跨るように千鳥状に積み重ねられた積層状態において、上段の各ブロックの下部前側縁部が下段に隣設された両ブロックの片方ずつの上部前側突部に係止されると同時に、上段の各ブロックの左右の底面突部が下段に隣設された両ブロックの上部後側縁部に係止されたことによって、積層された各ブロックが横方向に直線状または曲線状に配列されてなる隣設する各ブロックが前面側に隙間のない状態で配列されると共に、各下段ブロックに対する各上段ブロックの前後のずれが防止されることを特徴とする。
【００１２】
本発明のブロックと基礎盤とを河川の護岸等の擁壁として用いた場合、河川の蛇行状況によって直線状に構築される場合と曲線状に構築される場合とがある。いずれにしても、空積み施工の場合は、積み重ねた各ブロックに前後のずれが生じない噛み合わせ構造及び前面側にブロック間の隙間のない構造が必要となる。
【００１３】
そのため、本発明の請求項１は、空積み施工に用いるコンクリートブロックであって、千鳥状に積み重ねた各ブロックの上部前側の左右と下部後側の左右に離間された突部がこれに対接する各ブロックの上下の縁部を係止する各ブロックの前後夫々の二点支持構造によって、直線状または曲線状に配列された各下段ブロックに対する各上段ブロックの前後のずれを防止するようにしたことを特徴とするものである。
【００１４】
即ち、各上段ブロック１、１…は横方向に隣接された各下段ブロック１、１…の上に互いに千鳥状に積み重ねられるため、図１３（ａ）に示すように、直線状に配列された左右に隣接する各下段ブロック１、１を跨ぐように各上段ブロック１が配列されると、夫々の上段ブロック１の下部前側縁部２ｃが左右の下段ブロック１、１において隣り合う２個の上部前側突部６、６に係止され、上段ブロック１の底面における左右の底面突部８、８が左右の下段ブロック１、１の各上部後側縁部７、７によって係止された状態となる。
【００１５】
このような構造は、その前側では、左右の下段ブロック１、１において隣り合う上部前側突部６、６が上段ブロック１の下部前側縁部２ｃに対して２点支持を与え、後側では、上段ブロック１の左右の底面突部８、８が左右の下段ブロック１、１において隣り合う上部後側縁部７、７に対して二点支持を与え、これらの前側と後側の夫々の二点支持によって直線施工及び曲線施工のいずれにおいても、前後にずれの生じない空積みブロックを構築することができる。
【００１６】
このような前後における夫々の二点支持構造は、図１３（ｂ）または（ｃ）に示すように、左右の下段ブロック１、１が曲線状に配列された場合、内カーブ（図１３（ｂ）に示す）または外カーブ（図１３（ｃ）に示す）ともに、夫々の曲線に倣って各上段ブロック１が傾きを変えた際にも前後における二点支持構造がそのまま維持される結果、前後にずれの生じない積み重ね構造を保つことができる。さらに、その上段に各ブロック１、１…を積み重ねた構造においても同様であり、全体として前後にずれの生じない空積み構造を得ることができる。
【００１９】
さらに、本発明の請求項２は、請求項１記載のコンクリート空積みブロックを支持する基礎盤であって、該基礎盤の両側部は後側に向けて僅かな傾斜角を有し、該基礎盤の上部の前側と後側に沿って突縁部が形成され、この前側突縁部の後側方向に傾斜辺を山状に形成した案内突部が少なくとも二箇所左右に離間して形成されていることにより、
直線状または曲線状に敷設された各基礎盤に各ブロックが跨るように千鳥状に積み重ねられた積層状態において、各ブロックの下部前側の突縁部が左右に隣接された両側基礎盤の各案内突部に係止されると共に、各ブロックの底面内の左右に設けられた案内突部が左右に隣接する両基礎盤の後側の各突縁部に係止されたことによって、直線状または曲線状に配列されてなる隣設する各基礎盤が前面側に隙間のない状態で配列され、各基礎盤に対する各ブロックの前後のずれが防止されることを特徴とする。
【００２０】
即ち、図１２（ａ）に示すように、各基礎盤１２、１２…を直線状に配列し、夫々の左右の基礎盤１２、１２を跨ぐように各上段ブロック１を配列すると、各上段ブロック１の下部前側縁部２ｃが隣接した左右の基礎盤１２、１２において隣り合う２個の案内突部１５、１５（その頂部１７、１７）に係止されると共に、上段ブロック１の左右の底面突部８、８が隣接した左右の基礎盤１２、１２の夫々の後側突縁部１４、１４に係止された状態となる。
【００２１】
このような構造は、その前側では、左右に隣接した基礎盤１２、１２において隣り合う案内突部１５、１５（その頂部１７、１７）が上段ブロック１の下部前側縁部２ｃに対して２点支持を与え、後側では、上段ブロック１の左右の底面突部８、８が隣接した左右の基礎盤１２、１２において隣り合う後側突縁部１４、１４に対して二点支持を与え、これらの前側と後側の夫々の二点支持によって直線施工及び曲線施工のいずれにおいても、前後にずれの生じない空積みブロックを構築することができる。
【００２２】
このような前後における夫々の二点支持状態は、図１２（ｂ）に示すように、各基礎盤１２、１２が曲線状に配列された場合、内カーブ（図１２（ｂ）に示す）または外カーブ（図１２（ｃ）に示す）ともに、この曲線に倣って上段ブロック１が傾きを変えた状態においてもそのまま維持される結果、前後にずれの生じない積み重ね構造を保つことができる。
【００２３】
【発明の実施の形態】
以下、本発明の実施例について図面を参照しながら説明する。
【００２４】
図１（ａ）は本発明の一実施例に関するコンクリート空積みブロックの単体を前面側から斜め方向に見た斜視図であり、図１（ｂ）は背面側から斜め方向に見た斜視図である。
【００２５】
これらの図に示すブロック１は、厚板状の前面部２と背面部３と底面部４（図２参照）とがコンクリート構造によって一体的に形成された左右に横長の矩形立方体を成し、前面部２と背面部３と底面部４とはそれらの内方寄りにて左右に離間した縦状の厚板をなす仕切部５、５によって仕切られ、左右の仕切部５、５の間は上方が開放された空洞を有すると共に、左右の仕切部５、５の外側は上方および側方が開放された形状を有するものである。
【００２６】
また、前面部２は底面部４に対して略垂直に形成されているが、背面部３は底面部４に対して後側へ傾斜されたことにより、図５（ａ）または（ｂ）に示すように、背面部３の後側が岸側（斜線で示す）の勾配に沿って構築される。
【００２７】
なお、各仕切部５、５には大径の貫通穴５ａが形成され、魚類或いは植物の根部の通過を可能としている。また、前面部２の表面２ａは外観上の配慮から割石模様としてある。
【００２８】
また、図２及び図３（ａ）に示すように、各ブロックの空洞内の底面部４には水抜き穴９が形成され、背面の地盤よりの流出水はこの水抜き穴９から下方へと流通する。
【００２９】
さらに、図３（ａ）に示すように、空積みブロック１の左右の両側部１ａ、１ａが後側に向けて僅かな傾斜角αを有する形状に形成されたことにより、この空積みブロック１を横方向に緩やかな曲線状に配列した際の合わせ面をとることが可能である。
【００３０】
このようなブロックの構成において、図１に示すように、各ブロック１の上部前側の左右に離間された２個の突部（単に「上部前側突部」と云う）６、６と上部後側に沿う縁部（単に「上部後側縁部」と云う）７と、図２に示すように、各ブロックの底面内に左右に離間された２個の突部（単に「底面突部」と云う）８、８とが形成されている。
【００３１】
即ち、本実施例のブロック１においては、図１に示すように（図３（ａ）及び（ｂ）参照）、前面部２の上部の左右離間位置（各仕切部５、５の前側上部に相当する位置）に２個の上部前側突部６、６が形成され、ブロック１の背面部３の上端が各仕切部５、５の上端よりもやや高い位置に形成されたことによってブロック１の上部後側縁部７が形成されている。
【００３２】
また、図２に示すように、ブロックの底面部４にはその底面内の左右の離間位置に２個の底面突部８、８が形成されている。このブロック１の底面部４は前側から長方形の凸面１０をなして残りの後側に凸面１０よりも幅狭の凹面１１を有する段差状に形成され、凸面１０から凹面１１側に突出した状態で凸面１０と凹面１１の境界線の内方寄りにて左右に離間された位置に２個の底面突部８、８が形成され、これらの底面突部８、８は前側の凸面１０と同一面を成す形状とされている。
【００３３】
なお、図１（ａ）、（ｂ）または図４（ａ）に示すブロック１は、陸上側に設けられるブロック（植生用ブロック１Ａ）であって前面部２は無孔であるが、図６（ａ）、（ｂ）または図４（ｂ）に示すブロック１は、水中側に設けられるブロック（魚巣用ブロック１Ｂ）であって、前面部２には中央と両側の下部に矩形の通り穴２ｂが形成されている。両側の通り穴２ｂ、２ｂは、図７に示すように積み重ねられた隣接する左右のブロック１Ｂ、１Ｂとの組み合わせによって中央の通り穴２ｂと同様の矩形形状となる。
【００３４】
これらの通り穴２ｂは、図５（ｂ）に示すように、魚巣用ブロック１Ｂの内部に栗石や玉石等を収納すると共に、矩形穴２ｂの部位を水中に没する低位へ設けることによって魚類等が魚巣用ブロック１Ｂの内部へ進入することを可能としている。植生用ブロック１Ａの場合は、内部に充填した土の流出を防ぐために前方に開口部を設けず、その内部の土に植物を育成することを可能としている。
【００３５】
上記のように形成されたブロック１に上段ブロック１を積み重ねる場合、図７または図１１に示すように、水平方向に直線状或いは曲線状に配列された下段ブロック１の上に上段ブロック１を互いに千鳥状に積み重ねると、図５（ａ）に示すように、下段ブロック１の上部前側突部６、６と上部後側縁部７との間に上段ブロック１の下部前側の縁部２ｃと底面突部８、８とが噛み合わされることとなる。
【００３６】
ここで、上記のコンクリート空積みブロックを支持する基礎盤について説明すると、図８の斜視図（突縁部１３の段差が見えるように、基礎盤１２の前側を後ろ向きに図示してある）、図９の平面図、図１０の側面図に示すように、厚板状の矩形形状を成す基礎盤１２の上部の前端と後端に沿って高さ方向に凸を成す突縁部１３、１４が形成され、前側の突縁部（単に「前側突縁部」と云う）１３の後側方向には緩やかな角度の傾斜辺１６、１６を山状に形成した案内突部１５、１５が左右に離間して均等に形成されている。
【００３７】
なお、この基礎盤１２は、図９に示す長尺の基礎盤１２をその中央線Ｃで分割した短尺もの（図８に示す）にして、各ブロックを急な曲線状に配列する際の曲率変化に対応するようにしてもよい。ただし、図９又は図１２（ａ）等に示すように、長尺或いは短尺のいずれの基礎盤１２においても、左右の両側部１２ａ、１２ａが後側に向けて僅かな傾斜角αを有する形状に形成され、図１２（ｂ）、（ｃ）に示すように、多数の基礎盤１２、１２…を横方向に配列した状態で内カーブ（岸側に凸）或いは外カーブ（川側に凸）のいずれの方向に曲線をなした場合でも、互いに左右に隣設する基礎盤１２、１２間の前側両端部を隙間なく一致させることができる。
【００３８】
さらに、基礎盤１２の中央及び両側に形成された固定穴１９、１９は、基礎盤１２を地盤に固定する際の滑動を防止するために設けられたもので、この固定穴１９にコンクリートを充填して下層地盤に固定する等に利用できる。
【００３９】
上記の基礎盤１２において、図８に示す短尺の基礎盤１２の場合、案内突部１５は左右の均等位置に２個形成され、図９に示す長尺の基礎盤１２の場合、案内突部１５は均等に４個形成されている。
【００４０】
なお、この基礎盤１２は、図５（ａ）、（ｂ）又は図１０に示すように前方上面側が次第に高くなる勾配を有することによってその上段に積み重ねるブロック１の滑動を防止する際のストッパとして機能する。
【００４１】
このような基礎盤１２は、図５（ａ）または（ｂ）等に示すように、その前側突縁部１３と後側突縁部１４の間に設けられた凹面１８（図８、９、１０参照）にブロック１の前側の凸面１０を嵌合し、後側突縁部１４の上面にブロック１の後側の凹面１１を載置することによって、基礎盤１２の上部にブロック１を噛み合わせた状態で積み重ねることができる。
【００４２】
次に、上記構成の基礎盤１２の配列とその上段のブロック１の積み重ね構造について説明する。
【００４３】
図１２及び図１３の各図においては、ブロック１の底面部の前側凸面１０を斜線で示し、後側凹面１１の外形を二点鎖線で示すことによって、ブロック１の底面全体を模式的に示している。
【００４４】
図１２（ａ）は各基礎盤１２、１２…を直線状に配列した状態を示し、各基礎盤１２、１２…の前側端部を互いに合わした状態で横方向に直線状に連結したものである。このような構成においては、隣接する各基礎盤１２、１２の双方の側部１２ａ、１２ａ間において後方へ僅かに広がる隙間ｃ１が生じるが、前方においては閉ざされているため、中詰材の土等が左右の基礎盤１２、１２間から洩れ出ることがない。なお、隙間ｃ１には、吸出防止材を用い、岸側土砂の流出を防止する。
【００４５】
また、各基礎盤１２、１２…の夫々の前側突縁部１３、１３…の各案内突部１５、１５…と夫々の後側突縁部１４、１４…との間の各凹面１８に各ブロック１、１…を千鳥状に積み重ねると、各ブロック１、１…は左右に隣接された基礎盤１２、１２間を跨ぐように噛み合わされる。
【００４６】
しかも、隣接する左右のブロック１、１間の前側端部を互いに合致した状態にしてあるため、各ブロック１、１の双方の側部１ａ、１ａ間において後方へ広がる隙間ｃ２は前方において閉ざされ、中詰材の土等が左右のブロック１、１間から洩れ出ることがない。
【００４７】
また、各基礎盤１２、１２…における夫々の各案内突部１５、１５…の各頂部１７、１７…を結ぶ線と夫々の後側突縁部１４、１４…の内側に沿う線とが均等な間隔を有して平行に揃うため、この間の凹面１８に載置した各ブロック１、１…の下部前側縁部２ｃが各基礎盤１２、１２…の案内突部１５、１５…の各頂部１７、１７…に係止されると共に、各ブロック１、１…において隣り合う左右の底面突部８、８が隣接するブロック１、１の夫々の後側突縁部１４、１４に係止され、各ブロック１、１…の前後のずれは完全に防止される。
【００４８】
また、図１２（ｂ）に示すように、各基礎盤１２、１２…を内カーブ（岸側に凸）の曲線状に配列すると、各基礎盤１２、１２…において隣接する夫々の前側端部が互いに合致するため、前方には隙間をつくらず、隣り合う基礎盤１２、１２の各側部１２ａ、１２ａ間に後方へ広がる隙間ｃ１’が生じるが、これは中詰材の土等の充填によって埋められ、この土等は前方へ洩れ出ることがない。
【００４９】
また、各ブロック１、１…の下部前側縁部２ｃが隣接する左右の基礎盤１２、１２において隣り合う案内突部１５、１５の内側の各傾斜辺１６、１６で係止されると共に、各ブロック１、１…において隣り合う左右の底面突部８、８が左右の各基礎盤１２、１２の後側突縁部１４、１４で係止された状態を保つことができ、このような前後夫々の二点支持構造によって、内カーブの曲線施工においても、前後にずれの生じない空積み擁壁を構築することができる。
【００５０】
しかも、隣接する左右のブロック１、１の双方の側部１ａ、１ａ間において後方へ広がる隙間ｃ２’は、各ブロック１、１間の前方において合致することにより閉ざされているため、中詰材の土等が左右のブロック１、１間から洩れ出ることがない。
【００５１】
さらに、図１２（ｃ）に示すように、各基礎盤１２、１２…を外カーブ（川側に凸）の曲線状に配列すると、各ブロック１、１間において隣接する側部１ａ、１ａ同士が合致することによって岸側の土等が洩れ出ることがない。
ただし、このように隣接する基礎盤１２、１２の双方の側部１２ａ、１２ａが完全に合致する外カーブを描くのではなく、より緩やかな外カーブの場合には、隣接する基礎盤１２、１２間に後方へ多少の隙間が生じるが、いずれにしても隣接する基礎盤１２、１２間の前方は互いに合致して閉ざされているため、各基礎盤１２、１２間から土等が洩れ出ることはない。
【００５２】
この場合、各ブロック１、１…の下部前側縁部２ｃが左右の基礎盤１２、１２において隣り合う案内突部１５、１５の外側の各傾斜辺１６、１６で係止されると共に、各ブロック１、１…の左右の底面突部８、８が左右の基礎盤１２、１２の後側突縁部１４、１４で係止された状態を保つことができ、前後夫々の二点支持によって外カーブの曲線施工においても、前後にずれの生じない空積み擁壁を構築することができる。
【００５３】
また、このように外カーブの曲線状に配列された基礎盤１２、１２…の上に積み重ねられた各ブロック１、１間においても、隣接するブロック１、１の側部１ａ、１ａが合致するか、または接近した状態となるが、いずれにしても前方においては、隣接するブロック１、１間の前側端部が合致することにより閉ざされているため、中詰材が洩れ出ることがない。
【００５４】
一方、図１３（ａ）に示すように、直線状に配列した下段ブロック１、１…に上段ブロック１、１…を千鳥状に積み重ねると、各上段ブロック１は左右の下段ブロック１、１間を跨ぐように噛み合わされる。このとき、各下段ブロック１、１…においては、夫々の上部後側縁部７、７の内側と上部前側突部６、６…を結ぶ線が均等な間隔を有して平行に揃うため、この間に載置した上段ブロック１、１…の下部前側縁部２ｃが左右の下段ブロック１、１の上部前側突部６、６に係止されると共に、上段ブロック１、１…の左右の底面突部８、８が左右の下段ブロック１、１…の上部後側縁部７、７…に係止され、直線状に配列された下段ブロック１、１…に対する上段ブロック１、１…の前後のずれは完全に防止される。
【００５５】
また、図１３（ｂ）に示すように、各下段ブロック１、１…を内カーブ（岸側に凸）の曲線状に配列した場合、各上段ブロック１、１…の下部前側縁部２ｃが左右の下段ブロック１、１において隣り合う上部前側突部６、６で係止されると共に、各上段ブロック１、１…の左右の底面突部８、８が左右の下段ブロック１、１の後側突縁部７、７で係止された状態を保つことによって、これらの前後夫々の二点支持によって直線施工及び曲線施工のいずれにおいても、前後にずれの生じない空積みブロックを構築することができる。
【００５６】
さらに、図１３（ｃ）に示すように、各下段ブロック１、１…が外カーブ（川側に凸）の曲線状に配列された場合、各下段ブロック１、１…の下部前側縁部２ｃが左右の下段ブロック１、１において隣り合う上部前側突部６、６で係止されると共に、各上段ブロック１、１…の左右の底面突部８、８が左右の下段ブロック１、１の後側突縁部７、７で係止された状態を保つことによって、これらの前後夫々の二点支持によって直線施工及び曲線施工のいずれにおいても、前後にずれの生じない空積みブロックを構築することができる。
【００５７】
また、上記の図１３（ａ）乃至（ｃ）に示す各ブロックの空積みの場合においても、直線状に配列した下段ブロック１、１…に上段ブロック１、１…を千鳥状に積み重ね、これを直線状、内カーブの曲線状、または外カーブの曲線状に配列した場合であっても、図１２（ａ）乃至（ｃ）に示すと同様に、各ブロック１、１間において隣接する側部１ａ、１ａの前側端部が合致するか、双方の側部１ａ、１ａ同士が合致することによって、互いに左右に隣設するブロック１、１間の前側両端部を隙間なく一致させることができ、充填した土等が洩れ出ることがない。
【００５８】
上記のように直線状または曲線状に配列された基礎盤１２、１２…の上に複数段のブロック１、１…を積み重ねるには、図１３（ａ）〜（ｃ）に示したと同様の施工によることができ、複数段のブロックの空積み擁壁全体としても前後にずれのない構築を施工することが可能となる。
【００５９】
さらに、本発明のコンクリート空積みブロックによると、積み重ねたブロック１、１…の上段に行くに従って生じる横方向のずれに対しても適切に対応することができる。この各ブロック１、１…の横方向のずれは、本発明による空積みブロック１が上下段とも同一横幅のブロックで積み重ねることができるものであり、しかも岸側の後方へ傾斜する状態で積み上げられるために生じるものである。即ち、各段のブロック１、１…を横方向に曲線状に配列した場合には曲率半径が上段に行くに従って縮小するため、上段の各ブロックにおける横方向のずれが大きくなるのである。
【００６０】
なお、図１４（ａ）または（ｂ）は、下段ブロック１、１…に対する上段ブロック１、１…の横方向のずれ量を大きくとって図示したものであり、実際には上段へ行くに従って徐々にずれを生じるものである。
【００６１】
本発明による空積みブロックによれば、図１４（ａ）に示す内カーブ或いは図１４（ｂ）に示す外カーブ共に、各上段ブロック１、１…の下部前側縁部２ｃが左右の下段ブロック１、１の上部前側突部６、６に係止される範囲内であって、上段ブロック１、１…の左右の底面突部８、８が左右の下段ブロック１、１…の上部後側縁部７、７…に係止される範囲内において、各ブロック１の前後夫々における二点支持状態を維持することができるため、下段ブロック１、１…に対する上段ブロック１、１…の前後のずれを防止することが可能となる。
【００６２】
しかも、上記のように各ブロック１、１…が横方向にずれた状態でも、左右に隣接するブロック１、１間の前側両端部が互いに合致することにより、前方に隙間が生じない空積み擁壁を構築することができる。
【００６３】
【発明の効果】
以上説明したように、本発明は、空積み施工に用いるコンクリート空積みブロックと基礎盤に関するものであり、各ブロックは複数段に千鳥状に配列され、各基礎盤はその上に千鳥状に積み重ねた各ブロックを支持する。
【００６４】
本発明は、このような千鳥状に積み重ねた各ブロックの上部前側の左右と下部後側の左右に離間された突部がこれに対接する各ブロックの上下の縁部を係止する構造によって、前後夫々に二点支持による噛み合わせ構造を構築することができるため、直線施工及び曲線施工のいずれにおいても、前後にずれの生じない空積みブロックの施工が可能となる。
【００６５】
また、直線状または曲線状に敷設された各基礎盤に千鳥状に積み重ねた各ブロックの下部前側の突縁部が左右に隣接された両側基礎盤の各案内突部に係止されると共に、各ブロックの底面内の左右に設けられた案内突部が左右に隣接する両基礎盤の後側の各突縁部に係止されたことによって、各基礎盤に積み重ねる各ブロックにおいても、前後夫々に二点支持による噛み合わせ構造を構築することができる。
【００６６】
また、本発明による空積みブロック及び基礎盤を直線状に配列した場合でも、内カーブの曲線状に配列した場合でも、外カーブの曲線状に配列した場合でも、各基礎盤間または各ブロック間において隣接する側部の前側端部が合致するか、または双方の側部同士が合致することによって内部に充填した土等が洩れ出ることがない。
【００６７】
なお、本発明における各空積みブロック及び各基礎盤は奥行き幅及び横幅共に同一のものを使用して構築することができる。ただし、空積みブロックを配列した横方向の端部においては調整する必要があるが、これは全体の非常に僅かな部分であり、概ねは同一の空積みブロック及び基礎盤を用いることができるため、製造及び施工においても、簡易かつコストの低減を図ることが可能となる。
【図面の簡単な説明】
【図１】（ａ）は本発明によるブロック（植生用ブロック）を前方斜めから見た斜視図であり、（ｂ）はそのブロックを後方斜めから見た斜視図である。
【図２】本発明によるブロックの底面を後方斜めから見た斜視図である。
【図３】（ａ）は本発明によるブロックを上方から見た鳥瞰図であり、（ｂ）はそのブロックの前面図である。
【図４】（ａ）は本発明による植生用ブロックの側面図であり、（ｂ）は魚巣用ブロックの側面図である。
【図５】（ａ）は本発明によるブロックを複数段に積み重ねた状態を示す側面図であり、（ｂ）はその横断面図である。
【図６】（ａ）は本発明によるブロック（魚巣用ブロック）を前方斜めから見た斜視図であり、（ｂ）はそのブロックを後方斜めから見た斜視図である。
【図７】本発明によるブロックと基礎盤とを積み重ねた状態を前方から見た斜視図である。
【図８】本発明による基礎盤を後方斜めから見た斜視図である。
【図９】本発明による基礎盤の上面図である。
【図１０】本発明による基礎盤の側面図である。
【図１１】本発明によるブロックと基礎盤を用いた擁壁の斜視図である。
【図１２】（ａ）は本発明において直線状に配列した複数の基礎盤に各ブロックを積み重ねた平面状況を示す模式図であり、（ｂ）は本発明において内カーブの曲線状に配列した複数の基礎盤に各ブロックを積み重ねた平面状況を示す模式図であり、（ｃ）は本発明において外カーブの曲線状に配列した複数の基礎盤に各ブロックを積み重ねた平面状況を示す模式図である。
【図１３】（ａ）は本発明において直線状に配列した複数の下段ブロックに各上段ブロックを積み重ねた平面状況を示す模式図であり、（ｂ）は本発明において内カーブの曲線状に配列した複数の下段ブロックに各上段ブロックを積み重ねた平面状況を示す模式図であり、（ｃ）は本発明において外カーブの曲線状に配列した複数の下段ブロックに各上段ブロックを積み重ねた平面状況を示す模式図である。
【図１４】（ａ）は本発明において内カーブの曲線状に配列した複数の下段ブロックに各上段ブロックを横方向にずれた状態で積み重ねた平面状況を示す模式図であり、（ｂ）は本発明において外カーブの曲線状に配列した複数の下段ブロックに各上段ブロックを横方向にずれた状態で積み重ねた平面状況を示す模式図である。
【図１５】（ａ）は従来の基礎盤を曲線状に配列して各ブロックを積み重ねた状況を平面的に示した模式図であり、（ｂ）は従来の基礎盤を直線状に配列して各ブロックを積み重ねた状況を平面的に示した模式図である。
【図１】
0003721411.tif 000002
【図２】
0003721411.tif 000003
【図３】
0003721411.tif 000004
【図４】
0003721411.tif 000005
【図５】
0003721411.tif 000006
【図６】
0003721411.tif 000007
【図７】
0003721411.tif 000008
【図８】
0003721411.tif 000009
【図９】
0003721411.tif 000010
【図１０】
0003721411.tif 000011
【図１１】
0003721411.tif 000012
【図１２】
0003721411.tif 000013
【図１３】
0003721411.tif 000014
【図１４】
0003721411.tif 000015
【図１５】
0003721411.tif 000016